(57)【要約】瞑想の部屋、告白または意見部屋、知人部屋および世論調査部屋の建築方法は、その内側で壁から壁までも天井もモニタによって覆われている部屋でできており、全ての部屋はコンピュータがある中央ユニットと接続している。中央ユニットにおいて、４つのプログラムから選択がなされる。第１のプログラムを選択する人は、部屋に入ってマンダラ、象徴的な表現および抽象映像を見る。第２および第３のプログラムを選択する人はカメラで記録されるが、自分自身記録したいものだけである。第２のプログラムでは、彼らは告白するかまたは彼らの意見を表明し、第３のプログラムでは、彼らが望む場合、何人かの知人を作るために彼らは彼らに関するなんらかの情報を述べる。記録されたものは第４のプログラムに行き、ここでこのプログラムを選択した人が記録されたビデオに即座にアクセスして、彼／彼女が見たいものを選択する。【特許請求の範囲】
【請求項１】
木製または金属またはコンクリート、またはガラスの外表面を有する部屋から成り、かつ、内側に前記同じ材料が使用されているが、これらの表面に設置されたモニタが機能することができるように全ての壁表面も天井もケーブルを有しなければならない、瞑想の部屋、告白または意見の部屋、知人部屋および世論調査の部屋の建築方法であって、前記部屋は全て、多少遠くに位置している中央ユニットおよびコンピュータに接続されている。各部屋は、肘掛け椅子、２台のカメラ、そのうち１台のカメラを制御するリモートコントロール、時計、スピーカおよび空調を有する。前記中央ユニットにおいてビデオ、データの記録および処理、オンライン接続、インターネット・アクセスのためのコンピュータおよびシステムがある部屋の建築方法。
【請求項２】
来客は、彼／彼女が見るかまたは彼／彼女が前記部屋で参加するプログラムを選択し、前記１台のカメラで彼／彼女は彼／彼女が言いたいことを記録し、次いで、これらは前記中央ユニットへ行きそこでそれらが何か見苦しいものがあるか見て検査され、それらが、様々な話題カテゴリに分類され、こうして前記部屋の他の来客が、彼／彼女の関心に依存して、彼／彼女が望むどの話題カテゴリまたは画像および表現でも、前記モニタで見ることができる部屋の建築方法
【請求項３】
モニタによっておおわれた前記内部壁表面も前記天井も将来のテレビであることができ、前記家の中の美しく設計された部屋は、内側をモニタによっておおわれ、前記中央モニタは、前記他のモニタと共に背景およびパノラマ的な眺めの感覚を提供し、ある時点で前記中央モニタはその主要な役割を他のモニタに譲り、そのユーザは異なるアングルから各場面を見る機会を有し音声は、映画の進展に依存して全ての側面から聞こえ、前記テレビ部屋は、空調および吸煙システムを持ち、
より高価なテレビ・モデルは、一種の窓によってより良い方法で通気され、前記部屋内部にまたは外側の空間に行く前記テレビ箱はその４つの角で支えられ、前記箱の各側面の前記モニタは一体成形ではなく、水平に２つ以上の部分に切り離され、前記モニタの上部の水平部分は２つの安全ボルトを有し、蝶番から外すと下げられて前記モニタの下部と隣接するようになり、この手順は前記テレビが動作中でない時に実行され、
前記同じ空間内にコンピュータを追加することによって、私たちは未来コンピュータを有し、
前記コンピュータにおいて現在見えるものは、無数のアプリケーションによって立体的に見え、映画およびゲームの映写は、前記コンピュータの援助によって実行され、前記インターネットへの接続を通しておよび前記空間におけるカメラの設置によって、私たちは同様の装置を有する別の人と話すことができ、かつお互いに立体的に見ることができ、
さらに、前記インターネットを通して、私たちは電子的な住所を訪問することが可能であり、かつ、博物館、芸術空間、芝居ショー、スポーツ・ゲーム、セミナーを立体的に見ることが可能であり、
さらに、私たちは将来の商店でわたしたちの買い物を行うことができ、全ての前記モニタが前記商店の形態を装うので、私たちは、私たちが前記商店内部にいるかのように感じ、かつ、このように、私たちは前記商店の中で歩き回ることが可能であり、そして私たちが選ぶどんなものでも、わたしたちの自宅に送ることができ、
カートリッジが前記コンピュータに接続されており、それは、インクカートリッジのように補充されることが可能であり、かつ内部に多くのにおいおよび香りを有し、映画の間に、および、前記観客がそれを望む場合、前記コンピュータは前記映画の製作者によって登録されたそれぞれのコードを認識して適切な香りを放出し、私たちが電子的な住所を訪問する時、同じことが起き、
保安上の理由から、誰かが長時間前記テレビ部屋にとどまることができる事実によって、電気装置（キッチン、冷蔵庫）、ドアベルが、前記部屋内の彼／彼女に通知し、かつ、彼／彼女が望むエリアに配置された無線カメラの助けを借りて、彼／彼女は、前記部屋内から前記家を監視することが可能であるモニターを有する部屋の建築方法。
【発明の詳細な説明】
【技術分野】
【０００１】
本発明は、その内側で壁から壁までも天井もモニタによって覆われている部屋でできており、全ての部屋がコンピュータのある中央ユニットと接続されている部屋から作られた電子的な建築に関する。
【０００２】
私はある水準の従来技術があるとは認識しておらず、私はこのアイデアが革新的であると信じる。
【０００３】
何よりもまず、私はこのアイデアおよび建築を大いに信じており、私はそれが世界的に拡大して非常に多くの人々にのしかかるコミュニケーションおよび孤独の問題を減らすのを助けると考える。それは商売を目的とする人道的なおよび民主的なアイデアであり、私はそれがまた国の承認をも得ると信じる。
【０００４】
建築
部屋は、外部が木製または金属構造から作られ、および内部に閉じて顧客または来客が入るドアが作られている。このアイデアを使用する会社は、それらを最初は例えば大規模スーパーマーケットまたは他の高密度に人が集まる空間（遊園地、音楽劇場）などのオープンエリアに設置し、望むならばその利益を増加させるためにカフェテリアを建設することができる。後で、この会社は屋内空間にそれらを設置することができる。
【０００５】
各部屋は、顧客が閉所恐怖症を感じないようにあまり小さくなく、かつ経費が増加しないようにあまり大きくない。部屋は壁から壁までも天井もモニタによっておおわれ、全ての部屋が少し遠くに離れて同じ場所に位置する中央ユニットに接続され、およびそこから来客によって選択されたオプションの調整が行われる。
【０００６】
中央ユニットにおいて、顧客によるオプションの選択およびそれぞれの価格の支払が、残りの顧客が選ばれたプログラムを知ることなしに行われる。
この秘密主義は不可欠であり、全体の創造を助ける。
モニタの他に、各部屋はまた快適な肘掛け椅子、２台のカメラをも有し、１台は第２および第３のプログラム（説明は後ほど続く）のために録画し、および１台は、顧客が一人きりの時に部屋で何か損傷を行う場合に備えて部屋を監視する。
さらに、空調があり、プログラムに依存して楽しい音が聞こえる。喫煙は、この部屋では禁止される。
２人以上の人が中央ユニットにおり、彼らは入場券の発行、顧客によって要求されるオプションの起動に対して責任を負い、彼らは顧客に彼／彼女がどのキャビンにいるべきかを告げ、彼らは第２および第３のプログラムからのビデオを処理する。
顧客は１５−３０分間部屋内に座ることができ、残り時間を示す時計がある。しかし誰かが早く去りたい場合、彼／彼女はボタンを押し、中央ユニットの担当者がカメラを通してその場所を検査し、損傷がなされずすべてがきちんとしていた場合、彼らはドアを開ける。
【０００７】
始めに、４つのプログラムまたはオプションがある（後でより多数のサブカテゴリが付け加えられることができる）。
【０００８】
主に広告される第１のプログラムは、瞑想の部屋である。
顧客は肘掛け椅子に気持ちよく座り、表面がモニタによっておおわれた天井または周囲の壁の方を見て、象徴的な表現、マンダラおよび抽象映像を見つめ、これは心のくつろぎとしておよび全ての問題からの楽しい小休止として広告される。
天井は、回転する円形モニタを有する。このプログラムは、高齢の人が来て格式を提供するように最も多く広告されて、これからのプログラムを後押しし、全事業に勢いを提供する。第１のプログラムにおいて、空間映像および無限への旅行が追加される。第２および第３のプログラムは、もう少しコストがかかる。
【０００９】
第２のプログラム
第２のプログラムを選択する顧客は、また、適切な音楽に加えて景色または表現の映像を見る。
肘掛け椅子の前のある場所にネジでとめられたリモートコントロールがあり、それが１台のカメラを調整する。第２のプログラムにおいて、告白または意見が、私たちが教会と何の問題も有しないように表現される。顧客は、何か見苦しいことがある場合、それは削除されることを通知される。
【００１０】
顧客はそれが適切であると考えるとすぐに、彼／彼女はカメラの録画ボタンを押して、自分が言いたいことを言う。彼／彼女が望む場合、巻き戻して自分が録画した内容を見ることが可能であり、何か好まないことがあれば、自分でそれを消去することができる。
終わりには、彼／彼女は彼／彼女がそれを登録することを望むか尋ねられる。ビデオでは、彼／彼女はきまりが悪い場合、彼／彼女は顔をはっきり示さないようにするかまたは声を変更させることができる。録画されたものは、すぐには再生されない。全てのビデオは、何か見苦しいものがあるかどうかを判定するために中央ユニットへ行き、そこですばやい接近がなされ、そして次に、すべては第４のプログラムに行く。
【００１１】
第３のプログラム      知人
第２のプログラムにおいてと同様に、ここでだけ各人は、彼／彼女が誰と会いたいかについて、彼／彼女の資質および趣味は何であるかについて、彼／彼女が望む場合は年齢について、同様に電話番号について、または鉱石保安の彼／彼女の電子メールについてさえも話す。
顧客の顔および声を変える可能性は、同様に利用可能である。同じ手続きがここであてはまり、顧客は終わりには、彼／彼女がビデオを登録することを望むかどうかまた尋ねられ、それから、これらのビデオは処理されて、第４のプログラムに行く。
【００１２】
第４のプログラム
プログラム２および３において書き込まれ、まず初めにこれらの２つのカテゴリに分類されたすべてがここで登録される。
第４のプログラムを選択する顧客は、周囲のモニタの映像を見るが、それらの中で、または天井で、彼／彼女は、即座のアクセスのオプションとともにリモートコントロールの助けを借りてビデオを見て、ある人物が彼／彼女の注目を引きつけるときはいつでも止めることができ、およびしたがって未知の誰かからの意見、告白を聞くかまたは、彼／彼女が知りあいになるかもしれない人々を見ることが可能である。
このセクションでは、顧客が要求することをよりすばやく見つけることができるように、例えば４０歳以上の人々のための、同性愛者のための、あこがれているスターのための、共通の趣味および仕事をもつ人々のための、サブカテゴリを追加することができる。
【００１３】
中央ユニットは、それが必要な場合にはオンライン接続も、国家の安全の理由がある場合にはインターネットへの接続も有する。
さらに、彼らが望む場合、終わりには、彼らは彼らの顔を示さないで様々な世論調査に答え、そしてこの会社はそれらを求めた会社にその結果を販売する。
【００１４】
第２および第３のプログラムに入る人々全員がコードを与えられ、しばらくして彼らが丸見えになることをもはや望まない場合、彼らはこのコードを使用して、プログラムおよび中央ユニットから自分自身を消去することができる。
【００１５】
さて、このアイデアに基づいて、将来のテレビは、至る所にも天井および床にも大きなモニタを有する、観客が入る大きな箱になる。この箱は、四角、円形または他のどんな形状にすることもできる。観客は、中央モニタの映画を見つめ、残りのモニタはこの映画からの場面を示して背景感覚を提供し、および、観客はモニタに取り囲まれる空間内におり、したがって別のタイプの仮想現実を経験する。
このように、映画が実行される方法は変化する。
ある時点で、中央モニタが副次的になり部屋の別のモニタが中心になることができ、例えば映画の主役が左側から現れることができ、このように、観客はどのモニタで映画が続くか、何が起こるかがわからず、したがって、この映画をより刺激的なものにする。モニタが変化するにつれて、同じことがそれぞれの方向から来る音声にも起こり、および同時に低い音量の他の音声（すなわち鳥の鳴き声、嵐の接近する音）がシナリオに基づいて他の側面から聞こえることができる。
映画全体またはいくつかの場面は、複数のアングルのテイクを持つことができ、このように、観客は彼／彼女が見たいアングルを選択することができる。さらに、彼／彼女は特別な眼鏡を使用せずに立体視的に見ることが可能である。
この空間は空調されており、また煙吸収システムもある。より高価なテレビ・モデルは、テレビが使用されない時に開く一種の窓によってより良い方法で通気される。これは、以下の手順を通して実行される。
部屋の中に入るまたは外部空間の箱はその４つの角で支えられる。箱の各側面のモニタは一体成形ではなく、水平に２つ以上の部分に切り離される。モニタの上部の水平部分は２つの安全ボルトを有し、蝶番から外すと下げられてこの側面のモニタの下部と隣接するようになる。同じことを他の全ての側面に対して行うことが可能である。上部のモニタが下げられるので、この場所はバーのように見え、スライドバーを追加すると、彼／彼女はそれを１つに変えることができる。一人が部屋内に、および彼／彼女の友人がそのあたりの外側にとどまることができる。
【００１６】
コンピュータを接続することによって、私たちは将来のコンピュータを有する。
したがって、顧客は考えられない物を見ておよび創造することが可能である。
彼らは、写真、立体映像、画像処理を見ておよび処理し、彼らは、映画およびゲームを賃借するかまたは購入する。
インターネットへの接続を通して、およびこの空間内のカメラの設置によって、私たちは同様の装置を有する他の人と話すことができ、お互いに立体的に見ることができる。
さらにインターネットを通して、私たちは、博物館、芸術空間、芝居ショー、スポーツ・ゲームを訪問して、立体的に見ることが可能である。さらに、私たちは様々な商店を訪問して私たちが中にいるかのように感じることが可能であり、この空間を探検して私たちが望む物を購入することが可能である。
これらの商店は、通常の商店または、本物に見える混雑した様々な製品を有する仮想商店であることができ、および、いくつかの棚には広告をすることができる。このように、顧客は立体的に部屋内を覗き、彼／彼女が商店内にいるかのように感じ、これらが将来の商店であり、および将来の購入がなされる方法である。
誰かが長時間部屋内に座って外的環境と連絡を絶つことができる事実により、多少の保安システムが実施される。ドアベルが鳴っている場合、キッチンの食物の準備ができている場合、火災検出の必要性がある場合、ユーザは適切な接続を通してこの空間で通知される。彼／彼女がある物を思い出したい場合、彼／彼女はコンピュータにそれを登録することができ、後者はそれをモニタの一つに現れるようにする。また、非常事態の場合または彼／彼女がただ望む場合には、立体的におよびリアルタイムで彼／彼女がそのエリアを監視することができるように、この家の周辺の外側のエリアまたはある部屋（すなわち子供たちの部屋）内に無線カメラを設置することもできる。
【００１７】
また、インクカートリッジのように補充される匂いおよび香りのカートリッジもあり、コンピュータに接続されている。このカートリッジが、多くの匂いおよび香り（すなわち濡れた土、木および植物の香り、なんらかの不快な臭気さえも）で満たされている。映画に従い、コンピュータは映画の製作者からフィルムのこの時点でコードを有する信号を受信し、したがって、なんらかの香りの放出が作動し、観客は映画に対してより親密に感じる。将来の商店は、次の購入毎に他の香りを有するこのようなカートリッジを無料で与え、および顧客がインターネットを通してこの商店を再訪問する時、彼が望むなら適切な香りが部屋の中に放出される。
【国際調査報告】
2007506013.tif 000002
2007506013.tif 000003
2007506013.tif 000004